(57)【特許請求の範囲】
【請求項１】
洗浄槽と、該洗浄槽の内部に設けて食器類を載置する食器かごとを備え、
前記食器かごは、前記洗浄槽に収容される基枠と、食器類を所定の姿勢で支持する支持部材とを備え、
前記支持部材は、起立状態で食器類に当接して支持する複数の支持ピンと、各支持ピンを一体に連結して水平方向に延びる回動軸部とを備え、
前記基枠は、前記回動軸部を前記支持ピンが起立する位置と横倒する位置との間で回動自在に支持する軸受部と、前記支持ピンが起立姿勢となる位置で前記支持部材を解除自在に固定する固定部とを備える食器洗浄乾燥機において、
前記回動軸部は、該回動軸部の軸線に直交する方向に延出する延出部と、該延出部と異なる位置で前記回動軸部の軸線に直交する方向に延出する他の延出部とを一体に備え、
前記固定部は、前記支持ピンが食器類を支持する起立姿勢となる位置で前記延出部に嵌合して前記支持部材を固定し、
前記軸受部は、前記固定部による固定が解除されて前記支持ピンが横倒するとき前記回動軸部の軸線方向への移動を許容し、
前記基枠は、前記支持ピンが横倒姿勢から起立するとき、前記他の延出部を摺接させて前記回動軸部をその軸線方向一方に移動させることにより前記延出部を前記固定部に案内する案内部を備えることを特徴とする食器洗浄乾燥機。
【請求項２】
洗浄槽と、該洗浄槽の内部に設けて食器類を載置する食器かごとを備え、
前記食器かごは、前記洗浄槽に収容される基枠と、食器類を所定の姿勢で支持する支持部材とを備え、
前記支持部材は、起立状態で食器類に当接して支持する複数の支持ピンと、各支持ピンを一体に連結して水平方向に延びる回動軸部とを備え、
前記基枠は、前記回動軸部を前記支持ピンが起立する位置と横倒する位置との間で回動自在に支持する軸受部と、前記支持ピンが起立姿勢となる位置で前記支持部材を解除自在に固定する固定部とを備える食器洗浄乾燥機において、
前記食器かごは、前記支持ピンが横倒姿勢となったとき、各支持ピン間から横倒姿勢の各支持ピンよりも高い位置に突出する他の食器類用の複数の他の支持ピンを備え、
前記他の支持ピンは、前記回動軸部に水平方向に直交する側から前記支持部材を見たとき、起立姿勢の前記支持ピンに一部が重なる位置で起立状態を維持して前記基枠に固定されていることを特徴とする食器洗浄乾燥機。
【請求項３】
洗浄槽と、該洗浄槽の内部に設けて食器類を載置する食器かごとを備え、
前記食器かごは、前記洗浄槽に収容される基枠と、食器類を所定の姿勢で支持する支持部材とを備え、
前記支持部材は、起立状態で食器類に当接して支持する複数の支持ピンと、各支持ピンを一体に連結して水平方向に延びる回動軸部とを備え、
前記基枠は、前記回動軸部を前記支持ピンが起立する位置と横倒する位置との間で回動自在に支持する軸受部と、前記支持ピンが起立姿勢となる位置で前記支持部材を解除自在に固定する固定部とを備える食器洗浄乾燥機において、
前記食器かごは、前記基枠に載置された直方体の輪郭形状を有する小物立て部を備え、
前記基枠は、前記回動軸部の軸線方向の一方で起立して小物立て部の一側面に当接する縦壁を備えることを特徴とする請求項１又は２記載の食器洗浄乾燥機。
【発明の詳細な説明】
【技術分野】
【０００１】
本発明は、食器かごにより洗浄槽内に食器類を支持して食器類の洗浄及び乾燥を行う食器洗浄乾燥機に関する。
【背景技術】
【０００２】
食器洗浄乾燥機の洗浄槽の内部には、食器類を載置する食器かごが設けられている。この種の食器かごは、食器類を所定の姿勢で支持するための複数の支持ピンを備えている。各支持ピンは、食器かごの基枠に起立姿勢で固定されており、食器形状に応じて高さや形状に形成されている。
【０００３】
ところで、例えば、皿を支持するための支持ピンは起立状態で比較的高い位置まで延びている。このため、皿を洗浄しない場合にそのスペースを利用して鍋やボール等の大型の容器を洗浄しようとしても、支持ピンが邪魔になって、鍋やボール等の大型の容器が収容できない不都合があった。
【０００４】
そこで、皿用の支持ピンを起立姿勢と横倒姿勢とで回動自在に基枠に設けることにより、皿を洗浄しない場合はそのスペースを利用して鍋やボール等の大型の容器を洗浄することができるようにしたものが提案されている（例えば、下記特許文献参照）。このものでは、皿を支持する場合には支持ピンを起立姿勢とするが、皿を支持しない場合には起立姿勢の支持ピンを回動させて横倒姿勢にすることで、横倒姿勢の支持ピン上に鍋やボール等の大型の容器の載置スペースを形成されるようになっている。
【先行技術文献】
【特許文献】
【０００５】
【特許文献１】特開２００４−４１６８６号公報
【発明の概要】
【発明が解決しようとする課題】
【０００６】
しかし、支持ピンが回動自在に設けられていると、食器類を支持させる際に支持ピンに食器類が接触した場合や、食器かごが振動した場合に、支持ピンが簡単に倒れてしまい、支持ピンに食器類をセットする作業が円滑に行えなくなる不都合がある。
【０００７】
上記の点に鑑み、本発明は、支持ピンを容易に横倒姿勢とすることができるだけでなく、支持ピンの不用意な回動を防止して支持ピンの起立姿勢を確実に維持することができる食器かごを備える食器洗浄乾燥機を提供することを目的とする。
【課題を解決するための手段】
【０００８】
かかる目的を達成するために、本発明は、洗浄槽と、該洗浄槽の内部に設けて食器類を載置する食器かごとを備え、前記食器かごは、前記洗浄槽に収容される基枠と、食器類を所定の姿勢で支持する支持部材とを備え、前記支持部材は、起立状態で食器類に当接して支持する複数の支持ピンと、各支持ピンを一体に連結して水平方向に延びる回動軸部とを備え、前記基枠は、前記回動軸部を前記支持ピンが起立する位置と横倒する位置との間で回動自在に支持する軸受部と、前記支持ピンが起立姿勢となる位置で前記支持部材を解除自在に固定する固定部とを備える食器洗浄乾燥機において、前記回動軸部は、該回動軸部の軸線に直交する方向に延出する延出部と、該延出部と異なる位置で前記回動軸部の軸線に直交する方向に延出する他の延出部とを一体に備え、前記固定部は、前記支持ピンが食器類を支持する起立姿勢となる位置で前記延出部に嵌合して前記支持部材を固定し、前記軸受部は、前記固定部による固定が解除されて前記支持ピンが横倒するとき前記回動軸部の軸線方向への移動を許容し、前記基枠は、前記支持ピンが横倒姿勢から起立するとき、前記他の延出部を摺接させて前記回動軸部をその軸線方向一方に移動させることにより前記延出部を前記固定部に案内する案内部を備えることを特徴とする。
【０００９】
本発明によれば、前記固定部を設けたことにより支持ピンが起立姿勢で固定されるので、支持ピンの不用意な回動を防止して支持ピンへの食器類のセット作業を円滑に行うことができる。
【００１０】
また、本発明によれば、前記固定部が回動軸部の軸線に直交する方向に延出する延出部に嵌合することにより、支持ピンの起立姿勢を維持することができるだけでなく、回動軸部の軸線方向への移動も規制され、食器類を支持した状態の支持ピンのガタつきも防止することができる。更に、固定部による支持部材の固定が解除されて支持ピンが横倒するときには、軸受部による回動軸部の軸線方向への移動が許容される。これにより、例えば、一対の支持部材を並設した場合に両支持部材の支持ピンが互いに当接する方向に回動しても、夫々の支持部材の回動軸部が互いに異なる方向に移動して両支持部材の支持ピン同士の干渉を防止することができ、支持ピンが横倒する動作が円滑に行われる。
【００１１】
また、横倒姿勢の支持ピンを起立姿勢に回動させるとき、回動軸部を軸線方向に移動させて固定部に対する延出部の位置合わせを行う必要がある。本発明によれば、前記案内部が他の延出部を案内し、延出部が固定部に嵌合する位置まで回動軸部を移動させるので、支持ピンを横倒姿勢から起立姿勢に回動させるだけで延出部を固定部に嵌合させることができる。
【００１２】
また、本発明は、洗浄槽と、該洗浄槽の内部に設けて食器類を載置する食器かごとを備え、前記食器かごは、前記洗浄槽に収容される基枠と、食器類を所定の姿勢で支持する支持部材とを備え、前記支持部材は、起立状態で食器類に当接して支持する複数の支持ピンと、各支持ピンを一体に連結して水平方向に延びる回動軸部とを備え、前記基枠は、前記回動軸部を前記支持ピンが起立する位置と横倒する位置との間で回動自在に支持する軸受部と、前記支持ピンが起立姿勢となる位置で前記支持部材を解除自在に固定する固定部とを備える食器洗浄乾燥機において、前記食器かごは、前記支持ピンが横倒姿勢となったとき、各支持ピン間から横倒姿勢の各支持ピンよりも高い位置に突出する他の食器類用の複数の他の支持ピンを備え、前記他の支持ピンは、前記回動軸部に水平方向に直交する側から前記支持部材を見たとき、起立姿勢の前記支持ピンに一部が重なる位置で起立状態を維持して前記基枠に固定されていることを特徴とする。
【００１３】
これによれば、各支持ピンを横倒姿勢に回動させるだけで、当該位置に他の支持ピンが突出して異なる形状の他の食器類を支持することができ、食器類を効率よく支持することができる。
【００１４】
また、本発明は、洗浄槽と、該洗浄槽の内部に設けて食器類を載置する食器かごとを備え、前記食器かごは、前記洗浄槽に収容される基枠と、食器類を所定の姿勢で支持する支持部材とを備え、前記支持部材は、起立状態で食器類に当接して支持する複数の支持ピンと、各支持ピンを一体に連結して水平方向に延びる回動軸部とを備え、前記基枠は、前記回動軸部を前記支持ピンが起立する位置と横倒する位置との間で回動自在に支持する軸受部と、前記支持ピンが起立姿勢となる位置で前記支持部材を解除自在に固定する固定部とを備える食器洗浄乾燥機において、前記食器かごは、前記基枠に載置された直方体の輪郭形状を有する小物立て部を備え、前記基枠は、前記回動軸部の軸線方向の一方で起立して小物立て部の一側面に当接する縦壁を備えることを特徴とする。
【図面の簡単な説明】
【００１６】
【図１】本発明の実施形態の食器洗浄乾燥機の構成を模式的に示す説明図。
【図２】食器かごの斜視図。
【図３】支持ピンが起立した状態の要部の斜視図。
【図４】支持ピンが起立した状態の要部の平面図。
【図５】支持ピンが起立した状態の要部の説明的側面図。
【図６】支持ピンが横倒した状態の要部の斜視図。
【図７】支持ピンが横倒した状態の要部の平面図。
【図８】支持ピンが横倒した状態の要部の説明的側面図。
【発明を実施するための形態】
【００１７】
本発明の実施形態を図面に基づいて説明する。図１に示す本実施形態の食器洗浄乾燥機１は、システムキッチンに組み込んで設置されるビルトイン式のものであり、食器洗浄乾燥機１の筐体２は、前方（図１における左側）が開放されていてその内部に洗浄槽３を出し入れ自在に収容している。
【００１８】
洗浄槽３内には、洗浄水を噴出する洗浄ノズル４が設けられており、洗浄槽３の背面側には洗浄槽３内の食器を乾燥させるための乾燥用空気を導入する乾燥ダクト５及び乾燥ファン６が設けられている。
【００１９】
更に、洗浄槽３の底部には、洗浄槽３内に残菜フィルタ７を介して連通する洗浄水の溜り部８が設けられている。洗浄槽３の底部下側には、溜り部８に連通する洗浄・排水ポンプ９が設置されている。洗浄・排水ポンプ９は、正転させたときに洗浄ノズル４に洗浄水を供給し、逆転させたときに洗浄槽３からの排水を行う。
【００２０】
洗浄槽３には、食器を支持するための食器かご１０が載置された状態で収容されている。前記洗浄ノズル４は、食器かご１０より下方に位置して水平方向に長手の下ノズル１１と、下ノズル１１の長手方向中央部に立設されたセンターノズル１２とにより構成されている。
【００２１】
下ノズル１１は、その長手方向中央部で鉛直軸線回りに旋回しつつ食器かご１０に向けて洗浄水を噴出する。下ノズル１１の旋回は、洗浄・排水ポンプ９から供給される洗浄水の噴出反力によって駆動される。
【００２２】
センターノズル１２は下ノズル１１と一体に回動する下半部１２ａと、この下半部１２ａに上下動自在に挿設された上半部１２ｂとで構成されている。洗浄・排水ポンプ９から洗浄水が供給されたとき、センターノズル１２は下ノズル１１と共に旋回しつつ水圧によって上半部１２ｂが上方にのびるようになっている。そして、センターノズル１２の下半部１２ａ及び上半部１２ｂから食器かご１０に向けて洗浄水が噴出される。
【００２３】
ここで、食器かご１０について詳細に説明する。食器かご１０は、図２に示すように、樹脂コーティングを施した金属製線材によって形成された基枠１３と、基枠１３に固定された複数の支持部材（第１支持部材１４、第２支持部材１５、第３支持部材１６）と、小物立て部１７とを備えている。食器かご１０の中央部は、図１に示すように、センターノズル１２が挿通するようになっている。
【００２４】
第１支持部材１４は、本発明の支持部材に相当するものであり、本実施形態においては、図２に示すように、２つの第１支持部材１４が枠状の連結部材１８により基枠１３に連結されている。
【００２５】
各第１支持部材１４は、図３及び図４に示すように、複数（本実施形態では５つ）の支持ピン１９と、各支持ピン１９の下端を連結する回動軸部２０とで構成されている。各支持ピン１９と回動軸部２０とは樹脂コーティングを施した金属製線材（断面視が円形のもの）によって形成されていて互いに溶接されている。
【００２６】
第１支持部材１４の各支持ピン１９は、図５に示すように、大皿Ｗａ（食器類）を支持するものであり、図２に示すように、第２支持部材１５や第３支持部材１６が備えている支持ピン２１，２２よりも長く高い位置まで延びている。
【００２７】
第１支持部材１４の回動軸部２０は、図３及び図４に示すように、連結部材１８が一体に備えている軸受部２３に回動自在且つ着脱自在に連結されている。これにより、連結部材１８に対して第１支持部材１４の支持ピン１９を図３に示す起立姿勢から図６に示す横倒姿勢に回動させることができる。また、図示しないが、第１支持部材１４を連結部材１８から取り外して、形状の異なる支持ピンを備えた支持部材や支持ピンの間隔が異なる支持部材等に交換することもできる。
【００２８】
更に、図４に示すように、連結部材１８は、各第１支持部材１４の回動軸部２０を一対の軸受部２３によって支持している。これにより、図５に示すように、支持ピン１９が起立姿勢のときの各第１支持部材１４のガタつきが防止され、大皿Ｗａを安定的に支持することができる。
【００２９】
また、図４に示すように、第１支持部材１４の回動軸部２０の長手方向の両端には、夫々、第１延出部２４（延出部）と第２延出部２５（他の延出部）とが一体に設けられている。第１延出部２４と第２延出部２５とは何れも屈曲部を介して回動軸部２０の軸線に直交する方向に向かって延びている。
【００３０】
第１延出部２４と第２延出部２５とは何れも、回動軸部２０の軸線を中心としたとき支持ピン１９に対して所定の角度を存して設けられており、支持ピン１９が横倒姿勢から起立姿勢となる方向に回動軸部２０を回動させて、支持ピン１９が起立姿勢（大皿Ｗａを支持するときの姿勢）となったとき、連結部材１８の上面に当接して回動軸部２０のこれ以上の回動を規制する。
【００３１】
連結部材１８には、図３及び図４に示すように、支持ピン１９が大皿Ｗａを支持する起立姿勢となったときに第１延出部２４が嵌合する固定部２６が設けられている。固定部２６は、連結部材１８の一端に起立する縦壁２７と爪片２８との間に第１延出部２４を挟持するようにして第１延出部２４の動きを固定する。
【００３２】
固定部２６による第１延出部２４の嵌合状態は、起立状態の支持ピン１９に対して支持ピン１９を横倒させる方向に所定量以上の力を加えることで解除される。これにより、起立状態の支持ピン１９は不用意に横倒することはなく、しかも、必要に応じて横倒させることができる。なお、図２に示すように、連結部材１８の縦壁２７は小物立て部１７に当接して該小物立て部１７を支える機能も有している。これにより、小物立て部１７を支える部材を設けることなくコストを抑えることができる。
【００３３】
また、図７に示すように、連結部材１８の軸受部２３は、支持ピン１９が起立していないとき、第１支持部材１４の回動軸部２０の軸線方向への移動を許容している。これにより、一対の第１支持部材１４を設けて、両第１支持部材１４の支持ピン１９が互いに当接する方向に回動されても、両第１支持部材１４の支持ピン１９同士が干渉することなく横倒姿勢となる。しかも、両第１支持部材１４の支持ピン１９が断面視円形の線材であることで、両第１支持部材１４の支持ピン１９同士の突き当たり時に滑りが生じ、互い違いとなる方向に移動して円滑に横倒姿勢となる。
【００３４】
第１支持部材１４の支持ピン１９を横倒姿勢とすることにより、支持ピン１９が起立していた部分に広い空間を確保することができ、図示しないが、ボールや鍋といった容器を載置して洗浄することができる。
【００３５】
また、図３及び図６に示すように、連結部材１８は、回動軸部２０を介して前記縦壁２７に対向する案内壁２９（案内部）を備えている。案内壁２９は、第１支持部材１４の回動軸部２０の回動に伴って第２延出部２５が摺接するように設けられている。これにより、第１支持部材１４の支持ピン１９が起立姿勢となると、第２延出部２５が案内壁２９に案内されて、第１延出部２４が固定部２６に向かって移動する。このように、支持ピン１９を横倒姿勢から起立姿勢に回動させるだけで第１延出部２４が固定部２６に嵌合し、支持ピン１９の起立姿勢を確実に維持した状態を極めて容易に得ることができる。
【００３６】
更に、図６に示すように、連結部材１８は、第１支持部材１４の支持ピン１９よりも高さの低い短尺ピン３０（他の支持ピン）を一体に備えている。短尺ピン３０は、第１支持部材１４の支持ピン１９が横倒姿勢となったとき、各支持ピン１９間から横倒姿勢の各支持ピン１９よりも高い位置に突出する。これにより、図８に示すように、第１支持部材１４の支持ピン１９を横倒姿勢とするだけで、横倒姿勢となった支持ピン１９間から突出する短尺ピン３０を用いて、大皿Ｗａとは形状の異なる中鉢Ｗｂ（他の食器類）を支持させることができる。
【００３７】
なお、本実施形態においては、図２に示すように、２つの第１支持部材１４を基枠１３に連結すために枠状の連結部材１８を用いており、連結部材１８に、軸受部２３、固定部２６、及び案内壁２９（案内部）を設けたものを示した。しかし、これに限るものではなく、図示しないが、基枠が支持部材を直接支持する構成を有すると共に、軸受部２３、固定部２６、及び案内壁２９（案内部）を基枠に一体的に設けてもよい。
【符号の説明】
【００３８】
１…食器洗浄乾燥機、３…洗浄槽、１０…食器かご、１３…基枠、１４…第１支持部材（支持部材）、１７…小物立て部、１９…支持ピン、２０…回動軸部、２３…軸受部、２４…第１延出部（延出部）、２５…第２延出部（他の延出部）、２６…固定部、２７…縦壁、２９…案内壁（案内部）、３０…短尺ピン（他の支持ピン）、Ｗａ…大皿（食器類）、Ｗｂ…中鉢（他の食器類）。
【図１】
0006422379.tif 000002
【図２】
0006422379.tif 000003
【図３】
0006422379.tif 000004
【図４】
0006422379.tif 000005
【図５】
0006422379.tif 000006
【図６】
0006422379.tif 000007
【図７】
0006422379.tif 000008
【図８】
0006422379.tif 000009